(57)【特許請求の範囲】
【請求項１】
環状に連結される複数の枠部材のうちの隣接する２つの枠部材を、互いの端部同士を突き合わせて接合する接合部材であって、
前記隣接する２つの枠部材のうちの一方の枠部材に設けられ、他方の枠部材の長手方向に間隔を隔てて対向する部位を有するガイド部に前記一方の枠部材の長手方向に沿って挿入される第１部位と、
前記隣接する２つの枠部材のうちの他方の枠部材の長手方向に沿って前記接合部材と前記他方の枠部材とが離間することを許容しつつ前記他方の枠部材を前記一方の枠部材側に押圧する押圧部を備える第２部位と、を有し、
前記第１部位は、当該第１部位が前記一方の枠部材の長手方向に沿って挿入された際に、前記他方の枠部材の長手方向に前記ガイド部を押圧するように付勢して、前記隣接する２つの枠部材のうちの前記一方の枠部材の長手方向に沿って前記接合部材と前記一方の枠部材とが離間することを規制する規制部を有することを特徴とする接合部材。
【請求項２】
請求項１に記載の接合部材であって、
前記規制部を有する前記第１部位と、前記押圧部を有する前記第２部位との境界部が屈曲して繋がっており、
前記第１部位と前記第２部位とがなす角度は、前記一方の枠部材と前記他方の枠部材とがなす角度より小さいこと特徴とする接合部材。
【請求項３】
請求項１又は請求項２に記載の接合部材にて接合される枠部材と、前記枠部材が接合された枠体に設けられた障子と、を有することを特徴とする建具。
【請求項４】
請求項３に記載の建具であって、
前記枠部材は、前記複数の枠部材が接合された状態において外周側に位置する部位が開放されていることを特徴とする建具。
【発明の詳細な説明】
【技術分野】
【０００１】
本発明は、複数の枠部材の端部同士を突き合わせて接合する接合部材及び前記接合部材を有する建具に関する。
【背景技術】
【０００２】
複数の枠部材の端部同士を突き合わせて接合する接合部材及び建具としては、例えば、端部同士を当接させた２つの枠部材を結合するための接合部材（結合金具）および結合部材にて結合された枠体が知られている（例えば、特許文献１参照）。このような枠体の結合金具は、爪先が金具の中央側に向う返り爪が両端部にそれぞれ設けられており、結合する２つの枠部材のうちの一方の枠部材に一方の返り爪を掛止し、結合する２つの枠部材のうちの他方の枠部材に他方の返り爪を掛止して、２つの枠部材を結合しているものがある。
【特許文献１】特開２００１−２００６７９号公報
【発明の開示】
【発明が解決しようとする課題】
【０００３】
上記従来の結合金具は、２つの返り爪を有し、端部同士が当接されて結合される２つの枠部材に２つの返り爪のうちの１つずつがそれぞれ掛止されている。このため、２つの枠部材が結合金具にて接合された際には枠部材が互いに引き合う方向に返り爪による力が各々の枠部材に作用する。そして、各々の枠部材に作用する力のバランスが悪い場合には、一方の枠部材が他方の枠部材を押し過ぎて２つの枠部材の端部の突き合わされた部位にずれが生じ、結合（接合）された２つの枠部材間に隙間が生じる畏れがあるという課題があった。
【０００４】
本発明は、かかる課題に鑑みてなされたものであり、その目的とするところは、接合される２つの枠部材間に隙間が生じにくい接合部材及び建具を提供することにある。
【課題を解決するための手段】
【０００５】
かかる目的を達成するために本発明の接合部材は、環状に連結される複数の枠部材のうちの隣接する２つの枠部材を、互いの端部同士を突き合わせて接合する接合部材であって、前記隣接する２つの枠部材のうちの一方の枠部材に設けられ、他方の枠部材の長手方向に間隔を隔てて対向する部位を有するガイド部に前記一方の枠部材の長手方向に沿って挿入される第１部位と、前記隣接する２つの枠部材のうちの他方の枠部材の長手方向に沿って前記接合部材と前記他方の枠部材とが離間することを許容しつつ前記他方の枠部材を前記一方の枠部材側に押圧する押圧部を備える第２部位と、を有し、前記第１部位は、当該第１部位が前記一方の枠部材の長手方向に沿って挿入された際に、前記他方の枠部材の長手方向に前記ガイド部を押圧するように付勢して、前記隣接する２つの枠部材のうちの前記一方の枠部材の長手方向に沿って前記接合部材と前記一方の枠部材とが離間することを規制する規制部を有することを特徴とする接合部材である。
【０００６】
このような接合部材によれば、互いの端部同士が突き合わされた２つの枠部材は、規制部により一方の枠部材から離間することが規制され、また押圧部により他方の枠部材を一方の枠部材側に押圧するので、２つの枠部材が近接する方向に引き寄せられる。このため、接合される２つの枠部材間に隙間が生じることを抑えることが可能である。また、接合部材は他方の枠部材から離間することが許容されているので、２つの枠部材が突き合わされた端部において、他方の枠部材の端部が一方の枠部材の端部に沿わされるように移動可能である。このため、２つの枠部材の間では無理な力が作用しないので、一方の枠部材の端部と他方の枠部材の端部を十分に当接させることが可能である。
【０００７】
また、複数の枠部材は連結されて環状をなしているので、他方の枠部材の長手方向に沿って当該他方の枠部材から接合部材が離間することを許容したとしても、環状の枠体に接合された際には他方の枠部材から接合部材は離間し難くなり各枠部材を強固に接合することが可能である。
【０００８】
かかる接合部材であって、前記規制部を有する前記第１部位と、前記押圧部を有する前記第２部位との境界部が屈曲して繋がっており、前記第１部位と前記第２部位とがなす角度は、前記一方の枠部材と前記他方の枠部材とがなす角度より小さいことが望ましい。
このような接合部材によれば、規制部を有する第１部位と押圧部を有する第２部位とがなす角度が、一方の枠部材と他方の枠部材とがなす角度より小さいので、一方の枠部材と他方の枠部材を接合部材にて接合すると、第１部位と第２部位とのなす角度が僅かに大きくなるように接合部材が変形する。このとき接合部材に作用する、変形を戻す方向の力が一方の枠部材と他方の枠部材をより近づけるように作用する。このため、２つの枠部材間に隙間がより生じにくく、かつ強固に接合することが可能である。
【０００９】
また、前記接合部材にて接合される枠部材と、前記枠部材が接合された枠体に設けられた障子と、を有することを特徴とする建具である。  
このような建具によれば、建具を構成する枠体が有する各枠部材間が隙間なく接合されるので、美観に優れた建具を実現することが可能である。
【００１０】
かかる建具であって、前記枠部材は、前記複数の枠部材が接合された状態において外周側に位置する部位が開放されていることが望ましい。  
このような建具によれば、枠体の外周側に位置する部位が開放されているので、複数の枠部材が接合された状態であっても、接合部材が外部に露出される。このため、２つの枠部材の突き合わせ部を接合部材にて接合しやすい枠体を有する建具を実現することが可能である。特に、枠部材とは反対側から枠部材側に接合部材を押圧することが可能なのでより強固に枠部材同士を接合することが可能である。
【発明の効果】
【００１１】
本発明によれば、結合される２つの枠部材間に間隙が生じにくい接合部材及び建具を提供することが可能である。
【発明を実施するための最良の形態】
【００１２】
以下、本発明の一実施形態に係る接合部材及び建具について図面を参照して説明する。
【００１３】
以下の説明では、建物等に取り付けられた建具を屋内側から見たときに上下となる方向を上下方向、左右となる方向を左右方向または見付け方向、屋内外方向である奥行き方向を見込み方向として示す。
【００１４】
本実施形態の建具１０は、図１、図２に示すように、引き違いの障子１４と、障子１４が案内されるレールを有するサッシ枠１２と、サッシ枠１２の屋内側に設けられる膳板２３を含む枠部材が矩形状に接合された枠体２０を有している。
【００１５】
本実施形態の枠体２０は、サッシ枠１２と同様に矩形状に形成され、上下に配置される枠部材としての横枠２２と、左右に配置される枠部材としての縦枠２４とが環状に連結されている。ここで、下側に配置される横枠２２が膳板２３であるが、以下では上側と同様に横枠２２として説明する。これら横枠２２及び縦枠２４のうち隣接する横枠２２と縦枠２４とは、図１、図２に示すように接合部材３０にて接合されている。すなわち、矩形状に連結された枠体２０は、２本の横枠２２と２本の縦枠２４との突き合わせ部となる４箇所の角部がそれぞれ接合部材３０にて接合されている。
【００１６】
４箇所の角部における接合構造は、いずれも同様の構成なので、ここでは屋内側から見て左下の角部にて隣接する２つの枠部材としての下側の横枠２２と左の縦枠２４とを接合部材３０にて接合した例について説明する。
【００１７】
横枠２２と縦枠２４とは、いずれも同一の金型にて押出成形されたアルミニウム製の成形部材である。横枠２２と縦枠２４とは、図３に示すように、矩形状に接合された際に、内側に位置する内周面部２２ａ、２４ａと、内周面部２２ａ、２４ａの屋内側の縁と繋がって屋内側に向く面２２ｂ、２４ｂ及び内周面部２２ａ、２４ａと間隔を隔てて対向し建物の内壁との間を繋ぐ部位２２ｃ、２４ｃを構成する屋内部２２ｄ、２４ｄと、内周面部２２ａ、２４ａの屋外側に設けられてサッシ枠１２と接合される屋外部２２ｅ、２４ｅとを有し、外周側に位置する部位は開放されている。
【００１８】
内周面部２２ａ、２４ａの外面側、すなわち、開放されている側の面２２ｆ、２４ｆには、接合部材３０が挿入されるガイド突部２２ｇ、２４ｇが設けられている。ガイド突部２２ｇ、２４ｇは、接合部材３０が横枠２２又は縦枠２４（本実施形態では横枠２２）に挿入される際にガイドとしても機能し、見込み方向に間隔を隔てて２箇所に設けられている。ガイド突部２２ｇ、２４ｇは、内周面部２２ａ、２４ａとほぼ直交するように突出された壁部２２ｈ、２４ｈと、壁部２２ｈ、２４ｈの先端から内周面部２２ａ、２４ａと間隔を隔てて対向するガイド部２２ｉ、２４ｉとを有している。２つのガイド突部２２ｇ、２４ｇの各ガイド部２２ｉ、２４ｉは互いに対向する側に突出され、また各ガイド部２２ｉ、２４ｉの先端２２ｊ、２４ｊ同士は互いに間隔が隔てられて位置している。
【００１９】
横枠２２と縦枠２４とは、それらの端部２２ｋ、２４ｋ同士を突き合わせて接合した際に、横枠２２と縦枠２４とがほぼ直交するように、各々の接合される端部２２ｋ、２４ｋがそれぞれ約４５°に切断されている。
【００２０】
接合部材３０は、例えばステンレス製の部材であり、図３、図４に示すように、２つの枠部材のうちの一方の枠部材としての横枠２２の長手方向に沿って、内周面部２２ａと２つのガイド突部２２ｇとに囲まれる空間に挿入される第１部位としての枠挿入部３２と、２つの枠部材のうちの他方の枠部材としての縦枠２４を横枠２２側に押圧する押圧部３４と、枠挿入部３２と押圧部３４とを繋ぐ腕部３６と、を有している。そして、枠挿入部３２と腕部３６とは屈曲して繋がっている。ここで、押圧部３４と腕部３６とが第２部位の一例である。
【００２１】
枠挿入部３２は、ほぼ平板状をなし、挿入方向の先端側に幅方向に延出された延出部３２ａを有しており、延出部３２ａからは挿入方向と反対方向に向かって突起３２ｂが設けられている。そして、接合部材３０が横枠２２に挿入された際に内周面部２２ａとガイド部２２ｉとの間に位置する突起３２ｂは、延出部３２ａが幅方向の外側に向かってガイド部２２ｉ側に傾斜し、突起３２ｂが挿入方向と反対方向に向かってガイド部２２ｉ側に傾斜している。このため、接合部材３０の枠挿入部３２が横枠２２に挿入された際に、突起３２ｂが横枠２２のガイド部２２ｉに接触し、ガイド突部２２ｇのガイド部２２ｉを下方に押圧するように付勢し、接合部材３０が横枠２２から抜けることを防止している。すなわち、この突起３２ｂが、接合部材３０と横枠２２とが離間することを規制する規制部の一例である。
【００２２】
枠挿入部３２の延出部３２ａとは反対側は、腕部３６と繋がっており、境界部が屈曲されるとともに腕部３６の先端側は押圧部３４と繋がっている。腕部３６と枠挿入部３２とがなす角度は、接合される横枠２２と縦枠２４とがなす角度（ここでは約９０°）より小さな角度、例えば約４５°に屈曲されている。腕部３６の先端に設けられている押圧部３４は、枠挿入部３２と約９０°をなすように腕部３６と繋がっている。腕部３６及び押圧部３４は、見込み方向の幅が縦枠２４に設けられた２つのガイド突部２４ｇの先端２４ｊ間の間隔より狭く形成されている。
【００２３】
上記接合部材３０にて、横枠２２と縦枠２４とを接合する際には、横枠２２と縦枠２４との約４５°に形成された端部２２ｋ、２４ｋ同士を突き合わせ、縦枠と２４横枠２２が約９０°をなすように配置した後に、接合部材３０の枠挿入部３２を横枠２２の長手方向に沿って内周面部２２ａと２つのガイド突部２２ｇとの内側の空間に挿入する。このとき、接合部材３０の枠挿入部３２と腕部３６との屈曲している境界部３５を、横枠２２と縦枠２４との端部２２ｋ、２４ｋ同士が密着するように木槌等にて横枠２２の長手方向に打ち込み、押圧部３４を縦枠２４の２つのガイド突部２４ｇ間にて内周面部２４ａに当接させる。このとき、押圧部３４は縦枠２４に当接されているだけなので、縦枠２４は接合部材３０から離間することが許容されている。
【００２４】
また、接合部材３０を木槌等にて打ち込むことにより、接合部材３０が弾性変形して枠挿入部３２と腕部３６とのなす角度を僅かに開かせると、押圧部３４にて縦枠２４を横枠２２側に押圧させることが可能であり、横枠２２と縦枠２４との端部２２ｋ、２４ｋ同士をより引き寄せて当接させ、横枠２２と縦枠２４とをより強固に接合することが可能である。
【００２５】
本実施形態の接合部材３０によれば、互いの端部２２ｋ、２４ｋ同士が突き合わされた横枠２２と縦枠２４とは、突起３２ｂにより横枠２２から離間することが規制され、また押圧部３４により縦枠を横枠２２側に押圧するので、横枠２２と縦枠２４とが近接する方向に引き寄せられる。このため、横枠２２と縦枠２４との間に隙間が生じることを抑えることが可能である。また、接合部材３０は縦枠２４から離間することが許容されているので、横枠２２と縦枠２４とが突き合わされた端部２２ｋ、２４ｋにおいて、横枠２２の端部２２ｋに縦枠２４の端部２４ｋが沿わされるように移動可能である。このため、横枠２２と縦枠２４との間では無理な力が作用しないので、横枠２２の端部２２ｋと縦枠２４の端部２４ｋとを十分に当接させることが可能である。
【００２６】
また、２本の横枠２２と２本の縦枠２４とは連結されて環状をなしているので、縦枠２４の長手方向に沿って縦枠２４から接合部材３０が離間することを許容したとしても、環状の枠体２０として接合された際には横枠２２及び縦枠２４から接合部材３０は離間し難くなり横枠２２及び縦枠２４を強固に接合することが可能である。
【００２７】
また、接合部材３０の、突起３２ｂを有する枠挿入部３２と押圧部３４と繋がった腕部３６とがなす角度が、横枠２２と縦枠２４とがなす角度より小さいので、横枠２２と縦枠２４とを接合部材３０にて接合すると、枠挿入部３２と腕部３６とのなす角度が僅かに大きくなるように接合部材３０が変形する。このとき接合部材３０に作用する、変形を戻す方向の力が横枠２２と縦枠２４とをより近づけるように力が作用する。このため、押圧部３４の押圧力が大きくなる。このため、横枠２２と縦枠２４との間に隙間がより生じにくく、かつ強固に接合することが可能である。
【００２８】
また、枠体２０の外周部が開放されているので、横枠２２と縦枠２４とが環状に接合された状態でも、接合部材３０が露出されるので、横枠２２と縦枠２４との突き合わせ部を接合部材３０にて接合しやすい枠体２０を実現することが可能である。特に、接合部材３０を横枠２２及び縦枠２４とは反対側から横枠２２及び縦枠２４側に押圧することが可能なのでより強固に横枠２２と縦枠２４とを接合することが可能である。
【００２９】
そして、上記枠体２０と、この枠体２０に設けられた障子１４と、を有する建具１０は、建具１０を構成する枠体２０が有する横枠２２と縦枠２４との間が隙間なく接合されるので、美観に優れた建具１０を実現することが可能である。
【００３０】
上記実施形態においては、横枠２２に接合部材３０の枠挿入部３２を挿入し、押圧部３４を縦枠２４に当接させる例について説明したが、縦枠に枠挿入部を挿入し横枠に押圧部を当接させても良い。
【００３１】
また、上記実施形態では、横枠と縦枠とがいずれも外周部が開放されている例について説明したが、これに限るものではなく、例えば、横枠と縦枠とが中空の部材であっても良い。この場合には、押圧部が当接される側の部材に、接合部材を例えば棒状の部材を介して木槌等にて打ち込むことが可能なように、棒状の部材が挿入可能な穴を設けておくことが望ましい。
【００３２】
上記実施形態においては、枠体を膳板を含みサッシ枠の屋内側に設けられる枠体としたが、これに限るものではない。例えば、躯体に取り付けられて障子が嵌め付けられるサッシ枠のような枠体や、ドアが取り付けられる枠体、障子を構成し例えば矩形状に接合された框、など、複数の枠部材にて枠を構成し、隣接する２つの枠部材が互いの端部同士が突き合わされて環状に連結される枠体であれば構わない。さらに、また矩形状に限らず例えば六角形、八角形などの多角形状でも構わない。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３４】
【図１】本実施形態に係る枠体及び建具を屋内側からみた外観図である。
【図２】本実施形態に係る枠体の接合部の斜視図である。
【図３】横枠と縦枠との接合部を説明するための分解斜視図である。
【図４】横枠と縦枠との接合部を説明するためのイメージ図である。
【符号の説明】
【００３５】
１０  建具、１４  障子、２０  枠体、２２  横枠、
２２ｇ  ガイド突部、２２ｉ  ガイド部、２２ｋ  横枠の端部、
２４  縦枠、２４ｇ  ガイド突部、２４ｋ  横枠の端部、
３０  接合部材、３２  枠挿入部、３２ｂ  突起、
３４  押圧部、３６  腕部
【図１】
0005191723.tif 000002
【図２】
0005191723.tif 000003
【図３】
0005191723.tif 000004
【図４】
0005191723.tif 000005